(57)【特許請求の範囲】
【請求項１】
映像を表示する表示部と、
間隙を有する受光範囲をもつ赤外線センサーと、
前記赤外線センサーを回転駆動させる駆動部と、
前記赤外線センサーの出力から人体の存在の有無を判定するものであって、前記判定の開始から人体の存在がないと判定した継続期間が第１の期間を超える度に、前記駆動部に前記赤外線センサーを所定の回転量分の回転駆動をさせる制御を行ない、繰り返して人体の存在の有無を判定し、前記継続期間が前記判定の開始から第２の期間を超えた場合は、検知領域全体に人体が存在しないことを示す判定結果を出力する在人判定部とを備え、
前記所定の回転量は、回転方向の前記間隙の幅を所定の分割数で等分した幅に基づく回転量であって、
前記第２の期間は、前記第１の期間に前記所定の分割数の回数を掛けた期間と、前記所定の回転量の回転駆動にかかる期間に前記所定の分割数から１引いた回数を掛けた期間とを足した期間であることを特徴とする表示装置。
【請求項２】
前記駆動部は、前記赤外線センサーの回転軸を前記赤外線センサーの略水平方向と略垂直方向の２つの軸を有して回転駆動させることを特徴とする請求項１に記載の表示装置。
【請求項３】
前記在人判定部は、前記駆動部が前記赤外線センサーを回転駆動をさせている期間は前記判定を停止し、前記駆動部が前記赤外線センサーを回転駆動を停止した時に前記判定を再開することを特徴とする請求項１または請求項２に記載の表示装置。
【請求項４】
前記赤外線センサーは、各検知領域が２次元配列されるように前記間隙を有するものであって、前記間隙が設地面と所定の角度に傾くように設けられたことを特徴とする請求項１から請求項３のいずれか１項に記載の表示装置。
【請求項５】
前記赤外線センサーは、前記表示部の表示面と同じ方向に受光面を有して設けられるものであって、
前記駆動部は、前記赤外線センサーと前記表示部とを同じ回転量で回転駆動することを特徴とする請求項１から請求項４のいずれか１項に記載の表示装置。
【請求項６】
前記在人判定部は、前記継続期間が前記判定の開始から第２の期間よりも長い期間の第３の期間を超えた場合は、前記表示部を消画させることを特徴とする請求項１から請求項５のいずれか１項に記載の表示装置。
【請求項７】
前記在人判定部は、前記継続期間が前記判定の開始から第２の期間よりも長い期間の第
４の期間を超えた場合は、前記表示部に所定の画像を表示させることを特徴とする請求項１から請求項６のいずれか１項に記載の表示装置。
【請求項８】
間隙を有する受光範囲をもつ赤外線センサーと、
前記赤外線センサーを回転駆動させる駆動部と、
前記赤外線センサーの出力から人体の存在の有無を判定するものであって、前記判定の開始から人体の存在がないと判定した継続期間が第１の期間を超える度に、前記駆動部に前記赤外線センサーを所定の回転量分の回転駆動をさせる制御を行ない、繰り返して人体の存在の有無を判定し、前記継続期間が前記判定の開始から第２の期間を超えた場合は、検出エリアに人体が存在しないことを示す判定結果を出力する在人判定部とを備え、
前記所定の回転量は、回転方向の前記間隙の幅を所定の分割数で等分した幅に基づく回転量であって、
前記第２の期間は、前記第１の期間に前記所定の分割数の回数を掛けた期間と、前記所定の回転量の回転駆動にかかる期間に前記所定の分割数から１引いた回数を掛けた期間とを足した期間であることを特徴とする人体検出装置。
【発明の詳細な説明】
【技術分野】
【０００１】
本発明は人体検知センサーを設けた表示装置および人体検出装置に関する。
【背景技術】
【０００２】
従来、熱線を感知する焦電素子を用いた人体検知センサーを付けた照明器具などがあり、検知エリアを人体が横切るなど検知結果に差異が生じることで人の存在の有無を判定し、人が存在する場合は点灯し、存在しない場合は消灯するものがある。また、１つの焦電素子の受光範囲全体に熱の伝達を遮断する間隙を与えて検知領域全体を分割した構成のものがある。このような複数の離散的な検知領域を持たせた焦電素子においては、それぞれの検知領域に対応した検知エリアのいずれかで発熱体に動作があれば、焦電素子の検知結果に差異が生じるため、分割する検知領域ごとの検知エリアを小さくすることで比較的小さな動きでも検知結果に差異が出るようにすることが、一般的に行なわれている。ここで、検知領域とは受光範囲における領域であって、検知エリアはセンサーから離れた位置でそのセンサーによって感知されるエリアをいう。
【０００３】
このような焦電素子を用いた人体検知センサーをＴＶなど表示装置に設けて人の存在によって表示装置を制御するものを考えた場合に、検知エリアの大きさおよび間隙の幅によっては人体検知センサーから離れて存在する視聴者の小さな動きを検知することができずに、人が存在しないと判定するという問題が考えられる。また、表示装置の正面ではない位置から視聴している場合も考えられるため、検知エリア全体の範囲を広く確保する必要がある。
【０００４】
このような問題を解決する方法として、手や頭を動かす程度の人の小さな動きを検知するように検知エリア全体の大きさおよび各検知エリアの間隔を小さくした焦電素子と、人の歩行等の大きな動きを検知するように検知エリア全体の大きさおよび各検知エリアの間隔を大きくした焦電素子とを備えることで、小さな動きを検知するエリアを持ちながら検知エリア全体の範囲を広くする方法があった。（例えば、特許文献１参照）。
【先行技術文献】
【特許文献】
【０００５】
【特許文献１】特開平１０−３８１７号公報（第２−４頁、第１図）
【発明の概要】
【発明が解決しようとする課題】
【０００６】
特許文献１で開示されているように、特許文献１での人体検知センサーをトイレに設ける場合は、手や頭を動かす程度の人の小さな動きを検知する検知エリアの対象を便器付近とし、人の歩行等の大きな動きを検知するように検知エリアを大きくしたものをトイレの出入り口にするように調整することが可能である。しかしながら、ＴＶなどの表示装置に設けることを考えた場合では、表示装置と視聴者との距離が離れれば想定した検知エリアの大きさおよび間隔ではその遠くにいる視聴者が隣接する検知エリアの間に収まってしまい検知することができないことが考えられる。また、表示装置の正面ではない位置から視聴している視聴者の小さな動きを検知することができないため、特許文献１のような人体検知センサーを表示装置に設けても人体が検知困難な状況が発生するという問題があった。
【０００７】
この発明は、上述のような問題を解決するためになされたもので、検知エリア全体の広さを犠牲にすることなく、センサーが検知できる距離であれば隣接する検知エリアの間に視聴者が収まリ続けることなく検知できる人体検知センサーを備えた表示装置を得るものである。
【課題を解決するための手段】
【０００８】
本発明にかかる表示装置は、映像を表示する表示部と、間隙を有する受光範囲をもつ赤外線センサーと、前記赤外線センサーを回転駆動させる駆動部と、前記赤外線センサーの出力から人体の存在の有無を判定するものであって、前記判定の開始から人体の存在がないと判定した継続期間が第１の期間を超える度に、前記駆動部に前記赤外線センサーを所定の回転量分の回転駆動をさせる制御を行ない、繰り返して人体の存在の有無を判定し、前記継続期間が前記判定の開始から第２の期間を超えた場合は、検知領域全体に人体が存在しないことを示す判定結果を出力する在人判定部とを備え、前記所定の回転量は、回転方向の前記間隙の幅を所定の分割数で等分した幅に基づく回転量であって、前記第２の期間は、前記第１の期間に前記所定の分割数の回数を掛けた期間と、前記所定の回転量の回転駆動にかかる期間に前記所定の分割数から１引いた回数を掛けた期間とを足した期間であることを特徴とするものである。
【発明の効果】
【０００９】
この発明は、赤外線センサーを回転駆動させる駆動部を備え、人体の存在の有無に関する判定の開始から人体の存在がないと判定した継続期間が第１の期間を超える度に、前記駆動部に前記赤外線センサーを所定の回転量分の回転駆動をさせる制御を行ない繰り返して人体の存在の有無を判定することで、視聴者が大きく動いてない場合であっても、隣接する検知エリアの間に視聴者が収まり続ける状況をなくし、対象となる検知エリア全体における視聴者（人体）の存在の有無を判定することができる。
【図面の簡単な説明】
【００１０】
【図１】この発明の実施の形態１を示す表示装置の構成図である。
【図２】この発明の実施の形態１における表示装置と視聴者との関係を示す上面図である。
【図３】この発明の実施の形態１における赤外線センサーの受光範囲の形状と視聴者との関係を示す図である。
【図４】この発明の実施の形態１における赤外線センサーの受光範囲の形状と回転量との関係を示す図である。
【図５】この発明の実施の形態１による表示装置の処理の手順の例を示すフローチャートである。
【図６】この発明の実施の形態１による表示装置の処理の時間関係を示す図である。
【図７】この発明の実施の形態２における赤外線センサーの受光範囲の形状と視聴者との関係を示す図である。
【図８】この発明の実施の形態２における赤外線センサーの受光範囲の形状と回転量との関係を示す図である。
【図９】この発明の実施の形態３における赤外線センサーの受光範囲の形状と視聴者との関係を示す図である。
【発明を実施するための形態】
【００１１】
実施の形態１．
図１はこの発明を実施するための実施の形態１における表示装置１００を示すものである。図１において、表示装置１００は、筐体１１０に赤外線センサー１０１と、赤外線センサー１０１の出力から人体の存在の有無を判定する在人判定部１０２（図示せず）と、表示画面に映像を表示する表示部１０４とを設け、駆動部１０３は、回転軸をＡとして筐体１１０を回転駆動させるものである。ここでは回転軸Ａは表示装置の接地面に対して略垂直な方向（Ｚ軸方向）とする。
【００１２】
図２はこの発明の実施の形態１における表示装置と視聴者との関係を示す上面図である。図２では、表示装置の表示画面から距離Ｌ離れた位置に視聴者である人体Ｃが存在しており、表示装置１００は、回転軸Ａで上面からみて筐体１１０を逆時計方向に回転駆動させる様子を示す。
【００１３】
駆動部１０３は、回転方向を制御し電圧を発生させる制御部、前記電圧により駆動するモーター、およびモーターの回転により筐体１１０を駆動させる機構部により構成される。図２では、駆動部１０３は、赤外線センサー１０１と表示部１０４とが一体となって筐体１１０を回転するものとして示している。ただし、赤外線センサー１０１と表示部１０４とがそれぞれ異なる回転量で駆動部１０３によって回転するものとして構成されていても構わない。
【００１４】
次に各構成要素について詳細に説明する。赤外線センサー１０１は焦電素子とレンズから構成される。焦電素子は、受光する検知領域の温度情報の変化量を電気信号に変換する。この焦電素子の電気信号に基づいて、検知領域で温度情報が変わったか否か、つまり、発熱体が動いたか否かが検知できる。例えば、発熱体が検知領域外から検知領域内に入ってくる場合、発熱体が検知領域内から検知領域外に出て行く場合には、発熱体がその検知領域内を占める範囲が変わることになり、検知領域の温度情報の変化量を表す電気信号に変化が表れる。本発明では、この発熱体を人体として扱って説明する。
【００１５】
また、１つの焦電素子の受光範囲全体に赤外線を遮光、屈折もしくは反射させることにより熱の伝達を遮断する間隙を与えて検知領域全体を分割する構成にすることが一般的である。このように１つの焦電素子で検知領域全体を分割することで、それぞれの検知領域に該当する検知エリアのいずれかで発熱体に動作があれば焦電素子の電気信号に変化が現れる。このとき、それぞれの検知領域の大きさを変えることで小さな動きに対応する赤外線センサーが構成できる。ただし、間隙の幅を小さくするのは物理的に限界がある。また、各検知領域の大きさが小さすぎても間隙の幅が小さすぎても電気信号の変化が分かりにくくなるため、ある程度の間隔は必要とされる。
【００１６】
また複数の焦電素子を用いてそれぞれで検知エリアを別にもつことで検知エリア全体を広げても構わない。ただし、焦電素子で検知領域全体を分割する構成をもつ場合はそれぞれの間隙を有することになる。
【００１７】
図３は、赤外線センサー１０１の受光範囲の形状と視聴者との関係を示す図である。図３において、Ｄ１〜Ｄ１６は各検知領域を示すものであって、赤外線センサーの受光範囲全体に熱の伝達を遮断する間隙を与えて検知領域全体を１６個の検知領域（Ｄ１〜Ｄ１６）に分割した様子を表す。図３（ａ）は、検知領域全体の中央付近に人体Ｃが存在する様子を表す。人体Ｃと表示画面との距離Ｌが遠ければ、図３（ａ）のように中央の間隙の間に人体が収まることになり、人体Ｃに小さな動きがあったとしても赤外線センサー１０１は人体の存在を検知できないおそれがある。図３（ｂ）は、人体Ｃが検知領域Ｄ４およびＤ５に入っているので、人体Ｃが検知領域内を占める範囲が変化するような動きをすれば人体の動きを検知することが可能である。
【００１８】
このようにして、赤外線センサー１０１は、焦電素子の電気信号の変化に基づいて、人体の検知を行ない、赤外線センサー１０１の検知結果は人体検出信号として在人判定部１０２に供給される。
【００１９】
また、図３は、人体Ｃが動いていなくても赤外線センサー１０１を図３（ａ）から図３（ｂ）のようにＸ方向に動かすことによって、図３（ａ）では検知できない人体Ｃが、図３（ｂ）のような赤外線センサー１０１の検知領域と人体Ｃとの位置関係になり、人体Ｃが検知できることを表している。
【００２０】
従って、赤外線センサー１０１を回転駆動させて対象となる検知領域をずらすことで赤外線センサー１０１の間隙の幅よりも小さい人体を検知できるようになる。この際、最初の検知開始時の赤外線センサー１０１の間隙の位置が回転駆動後の検知領域で全部埋まるように回転駆動させると間隙の幅よりも小さい人体の小さな動きが検知できなくなりので、検知開始時の赤外線センサー１０１の間隙を複数回掛けて回転駆動後の検知領域で埋めるように１度で回転させる回転量を設定することで、少なくとも一度以上は人体Ｃの検知が可能となる。
【００２１】
ただし、回転量を小さくするほど、人体が存在しないと判断するまでに必要な回転駆動回数が多くなり、結果として人体が存在しないと判断するまでに要する時間が長くなる。
【００２２】
そこで、人体が存在しないと判断するまでに必要な回転駆動回数をまず設定し、これを基に回転量を設定することもできる。
【００２３】
たとえば、図４のような赤外線センサー１０１の検知領域全体を４行４列の検知領域（Ｄ１〜Ｄ１６）に分割した場合で説明する。ここで、Ｅ１、Ｅ２、およびＥ３はそれぞれの検知領域の列方向の間隙を２等分した中心線とする。
【００２４】
この場合、人体が存在しないと判断するまでに必要な回転駆動回数を１回と設定したときに、赤外線センサー１０１の２列目の検知領域（Ｄ１、Ｄ３、Ｄ５、およびＤ７）の左側の境界線がＥ１に到達するまで、同様に３列目の検知領域（Ｄ１０、Ｄ１２、Ｄ１４、およびＤ１６）の左側の境界線がＥ２に到達するまで、４列目の検知領域（Ｄ９、Ｄ１１、Ｄ１３、およびＤ１５）の左側の境界線がＥ３に到達するまで赤外線センサー１０１を左方向に回転量θだけ回転駆動させると設定する。つまり、回転駆動回数を１回と設定したときは検知領域の列方向の間隙を２等分した位置まで回転駆動させる。
【００２５】
このように設定すると、赤外線センサー１０１の受光範囲Ｄの間隙の幅の二分の一よりも大きな人体であれば、その動きを検出することができる。
【００２６】
これらから、赤外線センサー１０１を回転駆動させる量を赤外線センサー１０１の受光範囲Ｄの間隙をＮ等分（Ｎは２以上の整数）する線と受光範囲の境界線が重なるように設定すると、赤外線センサー１０１の受光範囲の間隙の幅のＮ分の一よりも大きな人体であれば、その動きを検出することができ、人体が存在しないと判断するまでに必要な回転駆動回数をＮ−１回となることがわかる。
【００２７】
次に、在人判定部１０２について説明する。在人判定部１０２は、赤外線センサー１０１が出力する人体検出信号を用いて人体の存在の有無を判定するものであって、駆動部１０３に所定の回転量分の回転駆動をさせる制御を行なうものである。図５は赤外線センサー１０１が出力する人体検出信号を用いて在人判定部１０２が表示画面１０４の消画を行う処理を説明するフローチャートである。
【００２８】
まず、在人判定部１０２は、駆動部１０３が駆動中であるか否かの判断を行う（Ｓ１）。この判断は駆動部１０３から駆動部１０３が回転駆動を行っている間、回転駆動が行われていることを示す駆動通知信号を出力させるようにした場合、駆動通知信号によって判断する。
【００２９】
駆動通知信号が、回転駆動が行われていることを示す場合は、ステップＳ１で駆動部１０３が駆動中であると判断し（Ｓ１：Ｙ）、表示装置１００は人体検出の処理を行なわずに処理を終了する。これにより、駆動部１０３により赤外線センサー１０１が回転したために受光する赤外線に変化が生じ、人体が存在しないのにもかかわらず赤外線センサー１０１が人体の動きを誤って検出してしまうことを防止することができる。
【００３０】
駆動通知信号が、回転駆動が行われていないことを示している場合は、ステップＳ１で駆動部１０３が駆動中ではないと判断し（Ｓ１：Ｎ）、ステップＳ２に進む。
【００３１】
ステップＳ２では、赤外線センサーが人体の動きを検出したか否かの判断を行う。この判断は赤外線センサー１０１が出力する人体検出信号を基に行う。人体が検出された場合（Ｓ２：Ｙ）、ステップＳ３に進み、人体が検出されていない状態の継続時間を示す無人カウント値を０にリセットし、処理を終了する。
【００３２】
ステップＳ２で人体が検出されなかった場合（Ｓ２：Ｎ）、ステップＳ４に進み、無人カウントに１を加算してステップＳ５に進む。
【００３３】
ステップＳ５では、無人カウント値が第１の値と同じ値でない場合（Ｓ５：Ｎ）はステップＳ７に進み、無人カウント値が第１の値と同じ値になった場合（Ｓ５：Ｙ）は、ステップＳ６に進み、ステップＳ６にて視聴者に動作を促す内容を表示部１０４で表示させる制御を行なった上で処理を終了する。第１の値は、人体が検出されなくなってから、表示画面１０４に視聴者に動くことを要求する情報を表示させるまでの時間を決定するパラメータである。
【００３４】
これは、赤外線センサー１０１は人体の動きを検知するものであるから、表示装置１００の前方に人体が存在していたとしても動きが極端に少ない場合は赤外線センサー１０１によって人体は検出されない。そこで、使用者に動作を促すことにより、人体が存在していても赤外線センサー１０１によって検出されないことを防止する。
【００３５】
ステップＳ７では、無人カウント値が第２の値と同じ値でない場合（Ｓ７：Ｎ）はステップＳ９に進み、無人カウント値が第２の値と同じ値になった場合（Ｓ７：Ｙ）は、ステップＳ８に進み、ステップＳ８にて駆動部１０３にて赤外線センサー１０１を所定の回転量だけ回転駆動させる制御を行なった上で処理を終了する。第２の値は、人体が検出されなくなってから、駆動部１０３に赤外線センサー１０１を駆動させるように指示するまでの時間を決定するパラメータである。
【００３６】
このように、駆動部１０３により赤外線センサー１０１を回転駆動させることによって、実際には人体が存在するのにかかわらず受光範囲の境界が人体に重なっていないために動作を行っても検出されないことを防ぐことができる。
【００３７】
ステップＳ９では、無人カウント値が第３の値と同じ値でない場合（Ｓ９：Ｎ）はそのまま何もせずに処理を終了し、無人カウント値が第３の値と同じ値になった場合（Ｓ９：Ｙ）は、ステップＳ１０に進み、ステップＳ１０にて表示部１０４に表示画面のバックライトを消灯させる制御を行なった上で処理を終了する。第３の値は、人体が検出されなくなってから、表示画面１０４を消画させるまでの時間を決定するパラメータである。
【００３８】
なお、本処理は表示画面１０４が表示されている間は一定時間毎に実行開始されるものであって、無人カウント値は処理が終了しても保持され、次の実行開始時に引き継がれるものとする。
【００３９】
第１の値、第２の値、および、第３の値は、予め設定されている値であっても、使用者が入力できる値であっても良い。また、一部の値のみを使用者が入力してもよく、例えば、第３の値を使用者が入力し、第１の値、および第２の値を、第３の値にそれぞれ定数を乗じた値としてもよい。
【００４０】
ただし、ステップＳ１０の処理が、表示装置１００の人体の存在が無いと最終判断した際の処理として、第３の値は、第１の値および第２の値よりも大きい値を取ることが望ましい。
【００４１】
例えば、本処理を１秒に一度行うと仮定したとき、人体を検知していない状態が１０分間継続したら表示画面１０４を消画するようにしたい場合、人体を検知していない状態が１０分間継続したときの無人カウントは６００となることから、第３の値は６００となる。このとき、第２の値は、人が存在しないと判断するまでに行う回転駆動を１回とした場合は、６００の中間の値の３００とすると、回転駆動を行う前後それぞれの状態で人物の動きを検出する時間を均等にすることができる。もしくは、５００など第３の値に近い値とすることで、回転駆動がなるべく実行されないようにすることもできる。また、視聴者に動作を促す内容の表示を、回転駆動や消画の処理を行う直前に行うことで、受光範囲の境界が人体に重なっているのに視聴者が動いていないために、回転駆動や消画がされて視聴の妨げになることを防ぐこともできる。このとき、例えば、第１の値は、第２の値や第３の値よりも、それぞれ１０秒分少ない値として、５９０などとする。
【００４２】
また、図５では、ステップＳ４の次の処理はステップＳ５、ステップＳ７、ステップＳ９という順番で処理しているが、ステップＳ４の次の処理としてステップＳ５、ステップＳ７、およびステップＳ９のいずれもまたはいずれかで並列処理を行なうものとして、ステップＳ６、ステップＳ８、ステップＳ１０のいずれかが同時に処理する場合はそれらかの処理が全て完了してからその時の実行処理を終了するとしても構わない。
【００４３】
図６は、第１の値が１または３、第２の値が２、第３の値が４と設定したときの、在人判定部１０２の動きを示した図である。
【００４４】
図６（ａ）では、無人カウント値が１の時にステップＳ６の処理が実行され、無人カウント値が２の時にステップＳ８の処理が実行され、次のその後の次の実行時にステップＳ２で、赤外線センサー１０１から出力から人体が検出された場合を示している。
【００４５】
図６（ｂ）では、無人カウント値が１または３の時にステップＳ６の処理が実行され、無人カウント値が２の時にステップＳ８の処理が実行され、無人カウント値が４の時にステップＳ１０によって表示部１０４に表示画面のバックライトを消灯させる制御を行なった上で処理を終了した場合を示している。
【００４６】
このように、第１の値または第２の値は複数の値を持ち、いずれかの値が無人カウント値と同じ場合に処理を行なうことで、第３の値にたどり着く間に複数回数の視聴者に動きを促す処理や赤外線センサー１０１の回転駆動処理を行なうことができる。
【００４７】
駆動部１０３は、ロータリーエンコーダ等、表示画面１０４が向いている方向を取得できる装置を備えていてもよい。
【００４８】
無人カウント値を０にリセットする処理は、ステップＳ３の処理によってだけではなく、使用者が表示装置１００の操作を行った場合など、表示装置１００の前方に人物が存在すると推定される場合にも行なってもよい。
【００４９】
駆動部１０３は在人判定部１０２からの指示により回転駆動を行うが、これに限らず、例えば、表示装置１００の使用者の操作によっても回転駆動を行う構成としても良い。
【００５０】
以上のような処理を行うことで、実際には表示装置１００の前方に人体が存在しているにもかかわらず、赤外線センサー１０１がその動きを検出できず、人体が長時間存在しないと誤って判断され表示画面１０４が消画してしまうことを防ぎつつ、実際に人体が長時間存在しない場合に表示画面１０４を消画させることができる。
【００５１】
また、本実施の形態にかかる発明を、筐体１１０に表示部１０４を含んで設けた表示装置１００として説明したが、筐体１１０とは別に表示部１０４を設け、筐体１１０に赤外線センサー１０１と在人判定部１０２と駆動部１０３とを設けた人体検出装置（図示せず）との組合せとしても人体検出装置によって所期の目的を達成しうることはいうまでもない。
【００５２】
実施の形態２．
実施の形態１では、赤外線センサー１０１の回転軸Ａは、表示装置１００の接地面に対して略垂直な方向（Ｚ軸方向）として、表示部１０４と一体に回転駆動されていたが、実施の形態２では、赤外線センサーの回転軸としてさらに表示装置１００の接地面に対して略水平な方向（Ｘ軸方向）にも回転できる駆動部を備える。
【００５３】
図７は、本実施の形態２にかかる表示装置に設ける赤外線センサー２０１の受光範囲の形状と視聴者との関係を示す図である。ここでＡ１はＺ軸方向の回転軸であって、Ａ２はＸ軸方向の回転軸である。
【００５４】
図７（ａ）では、視聴者である人体は表示装置に対して横たわった状態で視聴しているとする。この際、赤外線センサー２０１のＸ軸方向の間隙の間に収まっている場合は、回転軸Ａ１で赤外線センサー２０１を回転駆動させても、図７（ｂ）のように赤外線センサー２０１のＸ軸方向の間隙の間に収まったままの状態になり、人体の検知が困難なままとなる。この場合、回転軸Ａ２の方向にも回転駆動することができれば、図８のように検知領域Ｄ３の領域に人体が入ってくるため、人体の動きによって検知領域Ｄ３の温度情報の変化が電気信号として表れるため、人体の動きを検知して表示装置１００の表示領域に人体の存在があると判断することが可能となる。
実施の形態３．
上記の各実施の形態では、赤外線センサーの検知領域全体をＸ軸方向に４行、Ｚ軸方向に４列となるように設けていたが、赤外線センサー自体を接地面に対して傾けて設けるとしても所期の目的を達成しうることはいうまでもない。
【００５５】
図９は、実施の形態３にかかる表示装置に設ける赤外線センサー３０１の受光範囲の形状と視聴者との関係を示す図である。ここで、赤外線センサー３０１が駆動部１０３の回転軸Ａに対して斜めに設置されているということは、赤外線センサー３０１は、駆動部１０３の回転軸Ａに垂直な全ての平面に対して受光範囲Ｄ１〜Ｄ１６の境界面と交わる線が少なくとも１つ存在するように筐体１１０に設置されていることになる。
【００５６】
また図９では、赤外線センサー３０１の受光範囲Ｄの境界線が表示装置１００の接地面に対してちょうど４５度に傾けて設けるのではなく、回転軸Ａが赤外線センサー３０１の検知領域全体が正方形とした時の頂点を外すように設けている。これは、一般的に座っている人体の形状は鉛直方向に長いことから、受光範囲Ｄの境界線が接地面に対してちょうど４５度に傾けて設けられている場合よりも、人体と受光範囲Ｄの境界線が重なる可能性がより高くなるという効果を奏する。
【符号の説明】
【００５７】
１００  表示装置
１０１  赤外線センサー
１０２  在人判定部
１０３  駆動部
１０４  表示画面
１１０  筐体
【図１】
0005884449.tif 000002
【図２】
0005884449.tif 000003
【図３】
0005884449.tif 000004
【図４】
0005884449.tif 000005
【図５】
0005884449.tif 000006
【図６】
0005884449.tif 000007
【図７】
0005884449.tif 000008
【図８】
0005884449.tif 000009
【図９】
0005884449.tif 000010